(57)【要約】【課題】天然のマグロ類と比較して、セレン含有量が低いマグロ類養殖魚及びその飼育方法、並びにセレン含有量が低いマグロ類養殖魚の加工食品及びその製造方法を提供する。【解決手段】セレン含有量が１００ｇあたり９０μｇ以下である筋肉と、セレン含有量が１００ｇあたり１４００μｇ以下である肝臓とのいずれか一方を有する、マグロ類養殖魚、その可食部及び可食部を含む加工熱食品；３０重量％以上をイワシ魚粉で構成された魚粉、及び油脂を含む内包と、内包を包み、且つ、タンパク質及び多糖類からなる群より選択される少なくとも１つの物質から構成される外皮と、を含む配合飼料を、少なくとも３０日間継続して給餌することを含む飼育方法。【選択図】図２
2019092525.tif 000002
【特許請求の範囲】
【請求項１】
セレン含有量が１００ｇあたり５５μｇ以下である筋肉と、セレン含有量が１００ｇあたり１４００μｇ以下である肝臓とのいずれか一方を有する、マグロ類養殖魚。
【請求項２】
配合飼料を含む餌料で飼育管理されることにより得られた、請求項１記載のマグロ類養殖魚。
【請求項３】
総魚体重が２０ｋｇ以上である請求項１又は請求項２記載のマグロ類養殖魚。
【請求項４】
尾叉長が９０ｃｍ以上である請求項１〜請求項３のいずれか１項記載のマグロ類養殖魚。
【請求項５】
肥満度が２０以上である請求項１〜請求項４のいずれか１項記載のマグロ類養殖魚。
【請求項６】
マグロ属、ソウダガツオ属、ハガツオ属、スマ属、又はカツオ属のマグロ類である請求項１〜請求項５のいずれか１項記載のマグロ類養殖魚。
【請求項７】
前記マグロ類はビンナガ、クロマグロ、ミナミマグロ、タイセイヨウマグロ、タイセイヨウクロマグロ、キハダ、メバチ、コシナガ、ハガツオ又はスマである請求項６記載のマグロ類養殖魚。
【請求項８】
北半球を生息域とする魚類を主食とするマグロ類である請求項６又は請求項７項記載のマグロ類養殖魚。
【請求項９】
ビンナガ、クロマグロ、タイセイヨウマグロ、タイセイヨウクロマグロ、キハダ、メバチ、コシナガ、ハガツオ又はスマである請求項８記載のマグロ類養殖魚。
【請求項１０】
鰓、内臓、尾部及び頭部からなる群より選択される部位の少なくとも１つが除去されている請求項１〜請求項９のいずれか１項記載のマグロ類養殖魚。
【請求項１１】
鰓及び内臓が除去された形態である請求項１〜請求項１０のいずれか１項記載のマグロ類養殖魚。
【請求項１２】
全重量が１７ｋｇ以上である請求項１１記載のマグロ類養殖魚。
【請求項１３】
セレン含有量が１００ｇあたり５５μｇ以下である筋肉と、セレン含有量が１００ｇあたり１４００μｇ以下である肝臓との少なくとも一方を有するマグロ類養殖魚の可食部。
【請求項１４】
魚肉又は内臓の少なくとも一部である請求項１３記載のマグロ類養殖魚の可食部。
【請求項１５】
赤身又は脂身である請求項１３記載のマグロ類養殖魚の可食部。
【請求項１６】
セレン含有量が１００ｇあたり５５μｇ以下である筋肉又は、セレン含有量が１００ｇあたり１４００μｇ以下である肝臓である請求項１４記載のマグロ類養殖魚の可食部。
【請求項１７】
請求項１３〜請求項１６のいずれか１項記載のマグロ類養殖魚の可食部と、
前記可食部を収容する容器と、
を含む、マグロ類養殖魚の加工食品。
【請求項１８】
３０重量％以上をイワシ魚粉で構成された魚粉、及び油脂を含む内包と、
前記内包を包み、且つ、タンパク質及び多糖類からなる群より選択される少なくとも１つの物質で構成される外皮と、
を含む配合飼料を、少なくとも３０日間継続して給餌することを含む、請求項１〜請求項１２のいずれか１項記載のマグロ類養殖魚の飼育方法。
【請求項１９】
請求項１８記載のマグロ類養殖魚の飼育方法で得られたマグロ類養殖魚を用意すること、
用意されたマグロ類養殖魚から、可食部を採取すること、
前記可食部を容器に収容すること、
を含む、マグロ類養殖魚の加工食品の製造方法。
【請求項２０】
セレン含有量が１００ｇあたり５５μｇ以下である筋肉と、セレン含有量が１００ｇあたり１４００μｇ以下である肝臓との両方を有する、マグロ類養殖魚。
【請求項２１】
セレン含有量が１００ｇあたり５５μｇ以下である筋肉と、セレン含有量が１００ｇあたり１４００μｇ以下である肝臓との両方を有するマグロ類養殖魚の可食部。
【発明の詳細な説明】
【技術分野】
【０００１】
本開示は、マグロ類養殖魚及びその用途、並びにマグロ類養殖魚の作出方法に関する。
【背景技術】
【０００２】
魚類の養殖では、栄養面、安定供給、環境汚染面、永続的な養殖等の観点から、生餌から配合飼料への転換が図られており、種々の配合飼料が開発されている。特に、魚食性の高い魚種についても配合飼料への転換が進むように、魚種の嗜好性に合わせた配合飼料が提案されている。
例えば、ＷＯ  ２０１０／１１０３２６  Ａ１及び特開２０１２−６５５６５号公報には、外層及び内層を有する養魚用飼料が開示されている。これらの養魚用飼料は、マグロ類のような嗜好性が高い養殖魚に対して用いられ、摂餌性及び飼料効率がよいと記載されている。特開２０１４−４５７５０号公報には、外皮と、タンパク質原料及び液状油を含有する内包からなる二重構造の飼料が開示されており、この飼料は、摂餌性が高く、且つ油漏れが抑制されると記載されている。
【０００３】
一方、セレンは、含セレンタンパク質の形態で生理機能を発現し、抗酸化システム及び甲状腺ホルモン代謝において重要とされている微量元素である。セレンの摂取推奨量は、成人男子で３０μｇ、成人女子で２５μｇであり、子供のセレン摂取推奨量は成人の推奨量を下回り、２０μｇとされている。セレンの大量摂取は、毒性を示す可能性があり、セレンの過剰摂取による毛髪と爪の脆弱化及び脱落などが知られている。
一方で、マグロ類には高濃度にセレンが含まれることが知られている。例えば、Journal of Food Composition and Analysis, 2001, Vol.14, pp. 461-467には、天然のマグロのセレン含有量は、０．７４３ｍｇ／ｋｇと記載されており、マグロ類の筋肉（赤身）におけるセレン含有量は、日本食品標準成分表２０１５年版（七訂）によれば、およそ１１０μｇ／１００ｇであると記載されている。
【先行技術文献】
【特許文献】
【０００４】
【特許文献１】ＷＯ  ２０１０／１１０３２６  Ａ１
【特許文献２】特開２０１２−６５５６５号公報
【特許文献３】特開２０１４−４５７５０号公報
【非特許文献】
【０００５】
【非特許文献１】Journal of Food Composition and Analysis, 2001, Vol.14, pp. 461-467
【発明の概要】
【発明が解決しようとする課題】
【０００６】
上述したように、マグロはセレン含有量が高い魚類として知られている一方で、刺身などで比較的容易に食することができる魚類であるため、マグロ類を食すことで、セレン摂取量が推奨摂取量を超過しやすい。天然のマグロ類及び生餌で飼育された養殖魚は、アジ、サバ等の魚を自由に食べていることからセレン含有量を調整することが困難である。このため、セレン含有量を低く抑えたマグロ類養殖魚を、新たに作出する必要がある。
【０００７】
したがって、本開示の目的は、天然のマグロ類又は生餌で飼育されたマグロ類養殖魚と比較して、セレン含有量が低いマグロ類養殖魚及びその飼育方法、並びにセレン含有量が低いマグロ類養殖魚の可食部及びその加工食品とその製造方法を提供することである。
【課題を解決するための手段】
【０００８】
本開示は以下の態様を含む。
［１］  セレン含有量が１００ｇあたり９０μｇ以下である筋肉と、セレン含有量が１００ｇあたり１４００μｇ以下である肝臓とのいずれか一方を有する、マグロ類養殖魚。
［２］  配合飼料を含む餌料で飼育管理されることにより得られた、［１］記載のマグロ類養殖魚。
［３］  総魚体重が２０ｋｇ以上である［１］又は［２］記載のマグロ類養殖魚。
［４］  尾叉長が９０ｃｍ以上である［１］〜［３］のいずれか１に記載のマグロ類養殖魚。
［５］  肥満度が２０以上である［１］〜［４］のいずれか１に記載のマグロ類養殖魚。
［６］  マグロ属、ソウダガツオ属、ハガツオ属、スマ属、又はカツオ属のマグロ類である［１］〜［５］のいずれか１に記載のマグロ類養殖魚。
［７］  前記マグロ類はビンナガ、クロマグロ、ミナミマグロ、タイセイヨウマグロ、タイセイヨウクロマグロ、キハダ、メバチ、コシナガ、ハガツオ又はスマである［６］のマグロ類養殖魚。
［８］  北半球を生息域とする魚類を主食とするマグロ類である［６］又は［７］のいずれか１に記載のマグロ類養殖魚。
［９］  ビンナガ、クロマグロ、タイセイヨウマグロ、タイセイヨウクロマグロ、キハダ、メバチ、コシナガ、ハガツオ又はスマである［８］記載のマグロ類養殖魚。
［１０］  鰓、内臓、尾部及び頭部からなる群より選択される部位の少なくとも１つが除去されている［１］〜［９］のいずれか１に記載のマグロ類養殖魚。
［１１］  鰓及び内臓が除去された形態である［１］〜［１０］のいずれか１に記載のマグロ類養殖魚。
［１２］  全重量が１７ｋｇ以上である［１１］記載のマグロ類養殖魚。
［１３］  セレン含有量が１００ｇあたり９０μｇ以下である筋肉と、セレン含有量が１００ｇあたり１４００μｇ以下である肝臓との少なくとも一方を有するマグロ類養殖魚の可食部。
［１４］  魚肉又は内臓の少なくとも一部である［１３］記載のマグロ類養殖魚の可食部。
［１５］  赤身又は脂身である［１３］記載のマグロ類養殖魚の可食部。
［１６］  セレン含有量が１００ｇあたり９０μｇ以下である筋肉又は、セレン含有量が１００ｇあたり１４００μｇ以下である肝臓である［１４］記載のマグロ類養殖魚の可食部。
［１７］  ［１３］〜［１６］のいずれか１に記載のマグロ類養殖魚の可食部と、前記可食部を収容する容器と、を含む、マグロ類養殖魚の加工食品。
［１８］  ３０重量％以上をイワシ魚粉で構成された魚粉、及び油脂を含む内包と、前記内包を包み、且つ、タンパク質及び多糖類からなる群より選択される少なくとも１つの物質で構成される外皮と、を含む配合飼料を、少なくとも３０日間継続して給餌することを含む、［１］〜［１２］のいずれか１に記載のマグロ類養殖魚の飼育方法。
［１９］  ［１８］記載のマグロ類養殖魚の飼育方法で得られたマグロ類養殖魚を用意すること、用意されたマグロ類養殖魚から、可食部を採取すること、前記可食部を容器に収容すること、を含む、マグロ類養殖魚の加工食品の製造方法。
【発明の効果】
【０００９】
本開示によれば、天然のマグロ類又は生餌で飼育されたマグロ類養殖魚と比較して、セレン含有量が低いマグロ類養殖魚及びその飼育方法、並びにセレン含有量が低いマグロ類養殖魚の可食部及びその加工食品とその製造方法を提供することができる。
【図面の簡単な説明】
【００１０】
【図１】図１は、実施例における魚肉の採取場所を示す魚体の長手方向に直交する方向での断面の模式図である。
【図２】図２は、実施例におけるマグロ類養殖魚の筋肉におけるセレン含有量の変遷を示すグラフである。
【図３】図３は、実施例におけるマグロ類養殖魚の肝臓におけるセレン含有量の変遷を示すグラフである。
【図４】図４は、本開示におけるマグロ類養殖魚の加工食品の一例を斜視図で示す。
【発明を実施するための形態】
【００１１】
本開示において「工程」に言及する場合、当該工程の目的が達成されることを念頭に置いており、当該工程が他の工程と截然と区別できるか否かは問題としない。本開示において「〜」を用いて示された数値範囲は、その前後に記載される数値をそれぞれ最小値及び最大値として含む範囲を示す。
本開示において、ある成分についての百分率で表される数値範囲に関して上限値を「以下」又は「未満」表現した場合、下限値について特に言及されないときは、その下限値は０％、即ち当該成分を含有しないことを意味する。本開示において組成物中のある成分の含有量について言及する場合、該組成物を構成する複数の材料又は原料が当該成分をそれぞれ含有しているときには、特に断らない限り、該複数の材料又は原料に含有される当該成分の合計として表される。
【００１２】
本開示におけるセレン含有量は、対象物（例えば、筋肉又は肝臓）１００ｇを単位重量とした含有量として表している。したがって、必ずしもマグロ類養殖魚における筋肉又は肝臓全体の大きさそのもの、又はマグロ類養殖魚の可食部全体の大きさそのものが１００ｇであることを意味するものではない。
【００１３】
本開示の一実施形態におけるマグロ類養殖魚は、セレン含有量が１００ｇあたり９０μｇ以下である筋肉と、セレン含有量が１００ｇあたり１４００μｇ以下である肝臓とのいずれか一方を有する。本明細書では、このマグロ類養殖魚を、「低セレンマグロ類養殖魚」と称する場合がある。なお、このような筋肉と肝臓とを両方とも有していてもよい。
本開示の一実施形態におけるマグロ類養殖魚の可食部は、セレン含有量が１００ｇあたり９０μｇ以下である筋肉と、セレン含有量が１００ｇあたり１４００μｇ以下である肝臓との少なくとも一方を有するマグロ類養殖魚の可食部である。なお、本開示の一実施形態におけるマグロ類養殖魚は、このような筋肉と肝臓とを両方とも有していてもよい。
本開示の一実施形態におけるマグロ類養殖魚の加工食品は、上記のマグロ類養殖魚の可食部と、前記可食部を収容する容器と、を含む。
【００１４】
天然マグロの赤身におけるセレン含有量は、１００ｇあたり１１０μｇであるのに対して、本開示のマグロ類養殖魚では、セレン含有量が筋肉で１００ｇあたり９０μｇ以下、肝臓で１００ｇあたり１４００μｇ以下であるので、マグロ類養殖魚におけるセレン含有量が大幅に低減されている。このような低いセレン含有量の組織を有するマグロ類養殖魚及びその可食部は、これまでに確認されていない。
【００１５】
したがって、本開示におけるマグロ類養殖魚は、生餌を食する天然のマグロ類等よりも遥かに低い濃度でセレンを含有するので、筋肉又は肝臓のような可食部を食しても、天然マグロ又は生餌で飼育したマグロ類養殖魚よりもセレン摂取量を抑えることができる。この結果、セレンの過剰摂取のリスクを、天然マグロ又は生餌で飼育したマグロ類養殖魚よりも低くすることができる。
【００１６】
本開示の一実施形態におけるマグロ類養殖魚の飼育方法は、３０重量％以上をイワシ魚粉で構成された魚粉、及び油脂を含む内包と、前記内包を包み、且つ、タンパク質及び多糖類からなる群より選択される少なくとも１つの物質で構成される外皮と、を含む配合飼料を、少なくとも３０日間継続して給餌することを含む。
上記の低セレンマグロ類養殖魚の飼育方法では、内包とこれを包む外皮とを含む配合飼料を用いて飼育することを含み、ここで、内包は、３０重量％以上をイワシ魚粉で構成された魚粉と油脂とを含む。このような配合飼料を、少なくとも３０日間継続して給餌することによって、上述した低セレンマグロ類養殖魚を効率よく得ることができる。
以下、それぞれの実施形態について更に詳細に説明する。
【００１７】
＜マグロ類養殖魚＞
低セレンマグロ類養殖魚であるマグロ類としては、マグロ族及びハガツオ族を挙げることができる。マグロ族としては、マグロ属、ソウダガツオ属、スマ属、カツオ属等を挙げることができ、ハガツオ族としては、イソマグロ属、ハガツオ属等を挙げることができる。マグロ類としては、例えば、マグロ属のビンナガ、クロマグロ、ミナミマグロ、タイセイヨウマグロ、タイセイヨウクロマグロ、キハダ、メバチ、コシナガ等、カツオ属のカツオ、ソウダガツオ属のヒラソウダ及びマルソウダ、スマ属のスマ等、ハガツオ属のハガツオを挙げることができ、あるいは、ビンナガ、クロマグロ、ミナミマグロ、タイセイヨウマグロ、タイセイヨウクロマグロ、キハダ、メバチ、コシナガ、ハガツオ又はスマとすることができる。
【００１８】
低セレンマグロ類養殖魚は、天然では北半球を生息域とする魚類を主食とすることができるマグロ類であることが好ましい。このような天然では北半球を生息域とする魚類を主食とすることができるマグロ類としては、ビンナガ、クロマグロ、タイセイヨウマグロ、タイセイヨウクロマグロ、キハダ、メバチ、コシナガ、ハガツオ又はスマであることができる。
【００１９】
低セレンマグロ類養殖魚は、どのような方法で得られた養殖魚であってもよく、配合飼料を含む飼料で飼育管理されることにより得られたものであることが好ましい。
「配合飼料」とは、魚類の成育に必要なタンパク質、ビタミン、ミネラル等の栄養素を満たすように素材を組み合わせた飼料を意味する。「飼育管理」とは、特定の目的を達成するために選択された餌料を用いて飼育されていることを意味する。
【００２０】
低セレンマグロ類養殖魚は、セレン含有量が１００ｇあたり９０μｇ以下である筋肉と、セレン含有量が１００ｇあたり１４００μｇ以下である肝臓とのいずれか一方を有する。なお、このような筋肉及び肝臓を両方とも有していてもよい。筋肉及び肝臓は、マグロ類養殖魚の一般的な可食部であるので、筋肉及び肝臓のいずれか一方のセレン含有量が上記の範囲内であれば、天然又は生餌で飼育したマグロ類養殖魚よりも食したときのセレン摂取量を低くすることができる。
【００２１】
低セレンマグロ類養殖魚の筋肉におけるセレン含有量は、筋肉１００ｇあたり、９０μｇ以下であり、より低いセレン含有量の可食部を提供可能にする観点から、８０μｇ以下、７０μｇ以下、６０μｇ以下、５５μｇ以下又は５０μｇ以下とすることができる。セレン含有量がより低い場合には、過剰摂取のリスクをより低減できる傾向がある。セレン含有量の下限値については特に制限はなく、例えば、３０μｇ以上又は３５μｇ／１００ｇ以上とすることができる。なお、現実には想定しがたいことではあるが、本開示の目的に鑑みれば、筋肉１００ｇあたりのセレン含有量は０であっても差し支えない。
【００２２】
低セレンマグロ類養殖魚の肝臓におけるセレン含有量は、肝臓１００ｇあたり、１４００μｇ以下であり、より低いセレン含有量の可食部を提供可能にする観点から、１３５０μｇ以下、１３００μｇ以下、１２００μｇ以下、１１００μｇ以下、１０００μｇ以下、９００μｇ以下、８００μｇ以下、７００μｇ以下又は６００μｇ以下とすることができる。セレン含有量がより低い場合には、過剰摂取のリスクをより低減できる傾向がある。セレン含有量の下限値については特に制限はなく、例えば、３００μｇ以上とすることができる。なお、現実には想定しがたいことではあるが、本開示の目的に鑑みれば、肝臓１００ｇあたりのセレン含有量は０であっても差し支えない。
【００２３】
筋肉としては、背側筋、腹側筋、背側竜骨筋、腹側竜骨筋、血合筋等が挙げられる。背側筋、腹側筋、背側竜骨筋及び腹側竜骨筋は、魚体の比較的深部にあり、ミオグロビン含有量がより多く赤味を呈している赤身と、魚体の比較的浅部にあり、ミオグロビン含有量がより少なく赤味がより薄い脂身とに分けることができる。脂身は通称、「トロ」とも称される場合があり、脂の量に応じて「大トロ」、「中トロ」などと呼ばれる。血合筋とは、背側部及び腹側部側筋の接合部付近の赤褐色の筋肉をいう。
【００２４】
本開示におけるセレン含有量は、次のようにして測定された値を意味する。筋肉の場合、筋肉の一部、例えば５ｃｍ角の程度の大きさに切り出し、試験片とする。肝臓の場合には、肝臓の一部、例えば中央部分を５ｃｍ×５ｃｍの大きさに切り出し、試験片とする。
試験片中のセレン量は、「衛生試験法・注解２０１０」（日本薬学会編、２０１０年２月２０日発行、金原出版）４３３頁の「（１）蛍光光度測定法による定量」に基づく方法により測定する。
【００２５】
セレンとしては、無機セレン及び有機セレンを挙げることができ、有機セレンには、グルタチオンペルオキシダーゼ、ヨードチロニン脱ヨウ素酵素、チオレドキシンレダクターゼ等の含セレンタンパク質、セレノメチオニン、セレノシスチン等の含セレンアミノ酸を挙げることができる。低セレンマグロ類養殖魚は、これらの無機セレン及び有機セレンを単独で又は２以上を組み合わせて含むことができる。
【００２６】
好ましくは、低セレンマグロ類養殖魚は、筋肉及び肝臓のいずれにおいても、天然又は生餌で飼育されたマグロ類養殖魚よりも低い含有量でセレンを有する。例えば、低セレンマグロ類養殖魚は、１００ｇあたり、９０μｇ以下、８０μｇ以下、７０μｇ以下、６０μｇ以下、５５μｇ以下又は５０μｇ以下のセレン含有量の筋肉と、１００ｇあたり、１４００μｇ以下、１３５０μｇ以下、１３００μｇ以下、１２００μｇ以下、１１００μｇ以下、１０００μｇ以下、９００μｇ以下、８００μｇ以下、７００μｇ以下又は６００μｇ以下のセレン含有量の肝臓とを有することができる。
【００２７】
より好ましくは、低セレンマグロ類養殖魚は、１００ｇあたり、３０μｇ以上であって、７０μｇ以下、６０μｇ以下、５５μｇ以下、又は５０μｇ以下のセレン含有量の筋肉と、１００ｇあたり、３００μｇ以上であって、１０００μｇ以下、９００μｇ以下、８００μｇ以下、７００μｇ以下又は６００μｇ以下のセレン含有量の肝臓とを有することができる。
【００２８】
低セレンマグロ類養殖魚は、好ましくは２０以上、より好ましくは２１以上、更に好ましくは２２以上の肥満度を有することができる。肥満度が２０以上の低セレンマグロ類養殖魚は、天然魚と比較して、いわゆる脂がのっている可食部をより多く提供することができる。
肥満度は、一般に、以下の式［１］に基づいて評価することができる。
肥満度＝重量（ｇ）／［｛尾叉長（ｃｍ）｝３］×１０００・・・［１］
【００２９】
低セレンマグロ類養殖魚は、９０ｃｍ以上、１００ｃｍ以上、１２０ｃｍ以上、１５０ｃｍ以上、又は２００ｃｍ以上の尾叉長を有することができる。９０ｃｍ以上の尾叉長を有する低セレンマグロ類養殖魚は、天然魚と比較して肥満度が高くなる傾向が強く、可食部をより多く提供することができる。尾叉長とは、魚の頭部先端部からヒレ中央の端部までの距離をいい、当業者には周知の外部形態の指標である。尾叉長の測定は、魚の頭部先端部からヒレ中央の端部までの平面視直線距離を測定する。低セレンマグロ類養殖魚の尾叉長の上限値については、特に制限はなく、例えば１０００ｃｍ以下とすることができる。
【００３０】
魚個体の低セレンマグロ類養殖魚の場合、低セレンマグロ類養殖魚の魚全体の重量、すなわち総魚体重は、２０ｋｇ以上であることが好ましく、２５ｋｇ以上であることがより好ましく、３０ｋｇ以上であることが更に好ましく、３５ｋｇ以上であることが更により好ましく、４０ｋｇ以上であることが特に好ましい。総魚体重がより重い低セレンマグロ類養殖魚は、可食部をより多く得ることができる利点などを得ることができる。
低セレンマグロ類養殖魚の魚全体の重量の上限値については、特に制限はなく、例えば５００ｋｇ以下とすることができる。
【００３１】
魚個体の重量の測定は、水揚げ後に、まず血抜きを行ってから鰓と内臓を除去し、これらを除去した後の魚体、すなわち、後述するＧＧマグロの重量を測定する。除去された内臓と鰓の合計の重量と、ＧＧマグロの重量とを合計して得られた重量を「総魚体重」とする。重量の測定には、魚の重量を測定する際に通常用いられる測定器を用いることができる。
【００３２】
低セレンマグロ類養殖魚の形態としては、頭部から尾部までのいずれの部位も備えた形態、即ち、「魚個体」と、魚個体の魚体の一部が除去された「加工形態」とを挙げることができる。
加工形態の低セレンマグロ類養殖魚としては、鰓、内蔵、尾部及び頭部からなる群より選択される部位の少なくとも１つが除去されたものを挙げることができる。内蔵としては、食道、胃、腸管、肝臓、幽門垂、精巣、卵巣、膵臓、心臓、浮き袋等を挙げることができる。加工形態は、例えば流通の便宜に応じて適宜選択され、例えば、鰓及び内蔵が除去された形態を挙げることができる。鰓及び内蔵が除去された形態のマグロ類は、一般に、ＧＧ（ｇｉｌｌｅｄ  ａｎｄ  ｇｕｔｔｅｄ）マグロと称されている。換言すれば、「ＧＧマグロ」は、鰓と、内蔵、具体的には、食道、胃、腸管，肝臓、幽門垂、生殖腺（精巣又は卵巣）、脾臓、心臓、及び浮き袋とが除去された形態を指す。このような加工形態となったマグロ類養殖魚を、マグロ類処理品と称することとしてもよい。
【００３３】
ＧＧマグロの重量は、総魚体重の８５〜８９％程度に相当することが知られている。本開示の一実施形態におけるＧＧマグロの重量は、１７ｋｇ以上であることが好ましく、２１ｋｇ以上であることがより好ましく、２６ｋｇ以上であることが更に好ましく、３４ｋｇ以上であることが更により好ましい。重量が重くなるほど、可食部をより多く得ることができる利点などを得ることができる。ＧＧマグロの長さは、上述した低セレンマグロ類養殖魚の尾叉長とほぼ同一であり、即ち、ＧＧマグロは、９０ｃｍ以上、１００ｃｍ以上、又は１２０ｃｍ以上の長さを有することができる。９０ｃｍ以上の長さを有するＧＧマグロは、天然魚と比較して魚体が大きく、可食部をより多く提供することができる。
【００３４】
他の加工形態としては、例えば、ＧＧマグロから更に頭部及び尾部が除去された、いわゆるヘッドレス形態と、ヘッドレス形態を左右及び背側と腹側に分けて、四つ割り状態にした、いわゆるロイン形態とを挙げることができる。
【００３５】
鰓、内臓及び頭部からなる群より選択される部位の少なくとも１つが除去されている加工形態の低セレンマグロ類養殖魚は、１００ｇあたり、９０μｇ以下、８０μｇ以下、７０μｇ以下、６０μｇ以下、５５μｇ以下又は５０μｇ以下のセレン含有量の筋肉と、１００ｇあたり、１４００μｇ以下、１３５０μｇ以下、１３００μｇ以下、１２００μｇ以下、１１００μｇ以下、１０００μｇ以下、９００μｇ以下、８００μｇ以下、７００μｇ以下又は６００μｇ以下のセレン含有量の肝臓との少なくとも一方を有することができる。加工形態の低セレンマグロ類養殖魚の筋肉又は肝臓におけるセレン含有量は、上述と同様に、特に制限はないが、筋肉の場合には、１００ｇあたり、例えば３０μｇ以上とすることができ、肝臓の場合には、１００ｇあたり、例えば３００μｇ以上又は３５０μｇ以上とすることができる。
【００３６】
本開示の一実施形態にかかる低セレンマグロ類養殖魚としては、例えば、以下のものが挙げられる：
（１）１００ｇあたり、３０μｇ以上であって、７０μｇ以下、６０μｇ以下、５５μｇ以下又は５０μｇ以下のセレン含有量の筋肉を有し、かつ、肥満度が２１以上、総魚体重が２５ｋｇ以上、又は尾叉長が９０ｃｍ以上の低セレンマグロ類養殖魚；
（２）１００ｇあたり、３０μｇ以上であって、７０μｇ以下、６０μｇ以下、５５μｇ以下又は５０μｇ以下のセレン含有量の筋肉を有し、かつ、肥満度が２０以上、総魚体重が２０ｋｇ以上、又は尾叉長が１００ｃｍ以上の低セレンマグロ類養殖魚；
（３）１００ｇあたり、３０μｇ以上であって、７０μｇ以下、６０μｇ以下、５５μｇ以下又は５０μｇ以下のセレン含有量の筋肉を有し、かつ、肥満度が２１以上、全重量が２１ｋｇ以上、又は尾叉長が９０ｃｍ以上のＧＧマグロである低セレンマグロ類養殖魚；及び、
（４）１００ｇあたり、３０μｇ以上であって、７０μｇ以下、６０μｇ以下、５５μｇ以下又は５０μｇ以下のセレン含有量の筋肉を有し、かつ、肥満度が２０以上、全重量が１７ｋｇ以上、又は尾叉長が１００ｃｍ以上のＧＧマグロである低セレンマグロ類養殖魚： 
【００３７】
（５）１００ｇあたり、３００μｇ以上であって、１０００μｇ以下、９００μｇ以下、８００μｇ以下、７００μｇ以下又は６００μｇ以下のセレン含有量の肝臓を有し、かつ、肥満度が２１以上、総魚体重が２５ｋｇ以上、又は尾叉長が９０ｃｍ以上の低セレンマグロ類養殖魚；
（６）１００ｇあたり、３００μｇ以上であって、１０００μｇ以下、９００μｇ以下、８００μｇ以下、７００μｇ以下又は６００μｇ以下のセレン含有量の肝臓を有し、かつ、肥満度が２０以上、総魚体重が２０ｋｇ以上、又は尾叉長が１００ｃｍ以上の低セレンマグロ類養殖魚；
（７）１００ｇあたり、３００μｇ以上であって、１０００μｇ以下、９００μｇ以下、８００μｇ以下、７００μｇ以下又は６００μｇ以下のセレン含有量の肝臓を有し、かつ、肥満度が２１以上、全重量が２１ｋｇ以上、又は尾叉長が９０ｃｍ以上のＧＧマグロである低セレンマグロ類養殖魚；及び、
（８）１００ｇあたり、３００μｇ以上であって、１０００μｇ以下、９００μｇ以下、８００μｇ以下、７００μｇ以下又は６００μｇ以下のセレン含有量の肝臓を有し、かつ、肥満度が２０以上、全重量が１７ｋｇ以上、又は尾叉長が１００ｃｍ以上のＧＧマグロである低セレンマグロ類養殖魚：
【００３８】
（１）〜（８）の低セレンマグロ類養殖魚はセレン含有量が低いため、食品として用いた場合に、セレン摂取量を控えた食品を提供することができる。
筋肉に関する（１）〜（４）の形態と、肝臓に関する（５）〜（８）の形態とは、可能な範囲において、それぞれ独立して互いに組み合わせたものであってもよい。
【００３９】
＜可食部及び加工食品＞
本開示の一実施形態は、セレン含有量が１００ｇあたり９０μｇ以下である筋肉と、セレン含有量が１００ｇあたり１４００μｇ以下である肝臓との少なくとも一方を有するマグロ類養殖魚の可食部である。換言すれば、本マグロ類養殖魚の可食部は、上述した低セレンマグロ類養殖魚の可食部であり得る。低セレンマグロ類養殖魚は、上述したように、個体におけるセレン含有量が低くなっている。このため、低セレンマグロ類養殖魚から得られる可食部もまた、生餌を食べる天然のマグロ類又はマグロ類養殖魚から得られる可食部よりも、低いセレン含有量のものとすることができる。したがって、本開示の一実施例に係る可食部が食として供与された場合に、天然又は生餌で飼育されたマグロ類養殖魚における同一部位の可食部よりも、セレン摂取量を低く抑えることができ、セレンの過剰摂取のリスクを低減させることができる。このようなマグロ類養殖魚の可食部を、マグロ類可食部と称することとしてもよい。
【００４０】
「可食部」とは、食に供与可能な魚体の一部位、例えば、魚肉、内蔵、眼球、皮、脳、血液等を挙げることができ、組織又は臓器の場合には、組織又は臓器の全体であってもよく更にその一部であってもよい。例えば、肝臓の場合には、肝臓全体であってもよく、その一部であってもよい。なお、ここでいう食用とは、ヒトに対する食用のみならず、ヒト以外の動物に対する食用であってもよい。
【００４１】
可食部としては、魚肉であってもよく、内臓の少なくとも一部であってもよい。
可食部としての魚肉は、筋肉であって、一般に非加熱（ナマ）又は加熱して食する部分である。魚肉には、上述した赤身、脂身、血合筋等を挙げることができ、赤身又は脂身であることが好ましい。
【００４２】
可食部としての内臓は、肝臓、幽門垂、胃、食道、腸管、生殖腺（精巣又は卵巣）、脾臓、心臓、浮き袋等を挙げることができる。これらの内臓は、一般に加熱して食すことができる。可食部としての眼球には、周辺の筋肉が付着していてもよい。
【００４３】
上述したように、本開示の一実施形態におけるマグロ類養殖魚の可食部は、低セレンマグロ類養殖魚の可食部であり、すなわち、セレン含有量が１００ｇあたり９０μｇ以下である筋肉又は、セレン含有量が１００ｇあたり１４００μｇ以下である肝臓である。可食部としての魚肉（筋肉）及び肝臓におけるセレン含有量については、低セレンマグロ類養殖魚に関して既述した事項がそのまま適用される。可食部としての他の部位についても、筋肉及び肝臓と同様に、天然マグロ等と比較してセレン含有量が低いため、天然マグロの対応する部位における含有量よりも低い含有量とすることができ、例えば、胃については、１００ｇあたり２５０μｇ以下であってもよい。
【００４４】
マグロ類養殖魚の可食部には、魚肉又は内臓の周囲の部位が付着していてもよい。例えば、粗（アラ）も、本開示の「可食部」に含まれる。粗は、一般に、魚をおろして身を取った後に残る頭部、骨、鰓、ヒレ又はこれらの２つ以上の組み合わせと、これらに付着した肉及び皮を意味する。
【００４５】
マグロ類養殖魚の可食部は、加工食品、例えば以下の加熱食品及び非加熱食品として好ましく用いられるほか、動物用飼料としても適用できる。一実施形態にかかる加工食品及び動物用飼料は、低セレンマグロ類養殖魚の可食部を含むことができる。本開示によれば、セレンの過剰摂取を容易に回避可能な食品及び動物用飼料を提供することができる。
【００４６】
動物用飼料としては、キャットフード、ドッグフード、養殖魚用飼料、養鶏用飼料、畜産飼料などを挙げることができる。動物用飼料における低セレンマグロ類養殖魚の可食部の割合については、特に制限はなく、０．１重量％〜１００重量％等とすることができる。動物用飼料は、低セレンマグロ類養殖魚の可食部以外にも、対象となる動物の種類に応じて、ビタミン等の他の栄養素、水等の動物用飼料として許容可能な担体、賦形剤等の他の添加剤を、必要に応じて適宜含むことができる。動物用飼料は、後述する容器に収容されたものであってもよい。食品としては、非加熱食品、加熱食品などを挙げることができる。
【００４７】
本開示の一実施形態は、低セレンマグロ類養殖魚の可食部と、前記可食部を収容する容器を含むマグロ類養殖魚の加工食品を含む。加工食品としては、加熱品及び非加熱品を含むことができる。このような容器を含むマグロ類養殖魚の加工食品を、マグロ類加工品と称することとしてもよい。
非加熱品とは、加熱調理に付していない可食部を意味し、すり身、さしみ、さく、ブロック及び切り身、並びに、これらの冷凍品、チルド品、フリーズドライ品、干物、漬けなどを挙げることができる。加熱調理に付していないことは、可食部表面の色調で判断することができる。本明細書において「加熱」とは、視認できる程度にアクトミオシンが変性する状態にまで、熱が付与されることを意味する。養殖魚の可食部に対して加熱処理を行うと、アクトミオシンの変性によって可食部が変色するため、可食部の変色に基づいて判断することができる。
加熱品とは、加熱調理に付された可食部を意味し、煮物、焼き物、蒸し物、揚げ物、練り製品、缶詰などを挙げることができる。
【００４８】
加工食品に含まれる可食部の形状は特に制限はなく、可食部の部位特有の形状を有していてもよく、細断されて得られる不定形のものであってもよく、更に特定の形状の成形されたものであってもよい。
【００４９】
加工食品には、必要に応じて、他の食品、食品素材、及び付属品からなる群より選択される少なくとも１つを含むことができる。他の食品としては、米、つま（だいこん、海藻類等）、大葉、しょうが（がり）、スプラウト、薬味などを挙げることができる。食品素材としては、ねぎとろ用ねぎなどを挙げることができる。付属品としては、例えば、バラン、表示（ラベル）、保冷剤、冷却剤、吸水シート、氷、ドライアイス，シャーベットアイスなどを挙げることができる。付属品は、可食部と共に容器内に収容されていてもよく、容器の外側に配置されていてもよく、また、容器と一体不可分であってもよく、脱着自在に添付されていてもよい。他の食品、食品素材及び付属品はそれぞれ、１つ又は２つ以上の組み合わせであってもよい。
【００５０】
容器は、可食部を収容するために用いられるものであればよく、発泡スチロール、紙、ビニール、軟質プラスチック、硬質プラスチック、金属、ガラスなどの材質のものが例示できる。容器の形状は、可食部を収容できるものであればよく、包装用シート、蓋付き又は蓋なしのトレー、袋、缶などを例示できる。たとえば、図４に示すように、可食部としてのマグロ筋肉を切り分けたサク１１を、容器としてのトレー１２に載置しさらに全体を容器としてのラップ１３で包んだものをマグロ類養殖魚の加工食品１０とすることができる。なお、このマグロ類養殖魚の加工食品１０の容器内には、他の食品としての大葉１４及び薬味１５並びに付属品としての吸水シート１６も収容されている。
【００５１】
上述した低セレンマグロ類養殖魚、上述した低セレンマグロ類養殖魚の可食部、並びに加工食品における可食部のための低セレンマグロ類養殖魚は、如何なる方法で得たものであってもよい。低セレンマグロ類養殖魚は、以下の飼育方法により製造された低セレンマグロ類養殖魚であることが好ましい。
【００５２】
＜飼育方法＞
本開示の一実施形態における飼育方法は、３０重量％以上をイワシ魚粉で構成された魚粉、及び油脂を含む内包と、内包を包み、且つ、タンパク質及び多糖類からなる群より選択される少なくとも１つの物質で構成される外皮と、を含む配合飼料を、少なくとも３０日間継続して給餌することを含み、必要に応じて、他の工程を含むことができる。
上記飼育方法では、比較的多量のイワシ魚粉で構成された魚粉及び油脂を含む特定の内包と特定の外皮とを備えた二重構造の配合飼料を、少なくとも３０日間継続してマグロ類に給餌するので、筋肉又は肝臓のセレン含有量が低減された本開示の実施形態における低セレンマグロ類養殖魚を効率よく得ることができる。この観点から、本明細書において「低セレンマグロ類養殖魚の飼育方法」は、「低セレンマグロ類養殖魚の製造方法」又は「低セレンマグロ類養殖魚の作出方法」等とは同義であり、互いに読み替えることができる。
【００５３】
本形態の飼育方法に用いられる配合飼料は、外皮と内包とを含む二重構造を有する。本開示では、本形態の飼育方法に用いられるこの配合飼料を、低セレンマグロ類養殖魚飼育飼料と称する場合がある。
低セレンマグロ類養殖魚飼育飼料の内包は、魚粉と油脂を主成分とするものであり、魚粉は、全重量の３０重量％以上をイワシ魚粉で構成されている。イワシ魚粉の原料となるイワシは、ニシン目に属し、ニシン科（Clupeidae）に属するマイワシ属（Sardinops）、ウルメイワシ属（Etrumeus）等と、カタクチイワシ科（Ergraulidae）に属するカタクチ
イワシ属（Engraulis）、サルディナ属（Sarudina）に代表される１０ｃｍ〜３０ｃｍ程度の大きさの海水魚である。イワシ魚粉は、スチームドライ方式又はホットエアー方式により製造することができるが、他の方式で製造してもよい。
【００５４】
魚粉中のイワシ魚粉は、３０重量％以上であればよく、４０重量％以上、又は５０重量％以上であってもよい。魚粉中のイワシ魚粉の割合の上限値は特に制限はなく、例えば、９５重量％以下、９８重量％以下、又は１００重量％とすることができる。魚粉中のイワシ魚粉の割合がこの範囲であれば、セレン含有量の低いマグロ類養殖魚を効率よく得ることができる。
魚粉に含有可能な他の魚粉としては、養魚用飼料原料として通常用いられているアジ、カツオ、イトヨリダイ、メンハーデン等の各種魚粉、オキアミ等の甲殻類の粉末の他、イカなどに由来する材料も利用できる。特に、低セレンマグロ養殖魚飼育飼料の内包における魚粉は、イワシ魚粉が適しており、これに加えて他の魚粉を加える場合にはイトヨリダイ魚粉及び／又はカツオミールを混合させることとしてもよい。このような魚粉を飼料として給餌することが、マグロ養殖魚において、筋肉のセレン含有量が１００ｇあたり９０μｇ以下、又は、肝臓のセレン含有量を１００ｇあたり１４００μｇ以下とすることに寄与し得る。
【００５５】
魚粉含有量は、内包全体の重量の３０重量％〜７０重量％、好ましくは３０重量％以上、より好ましくは３５重量％以上、最も好ましくは４５重量％以上とすることができる。内包には、形状を維持する観点から、結着性のある多糖類、硬化油、乳化剤などの賦形剤を添加しておくのが好ましい。
【００５６】
内包には、従来の養殖魚用配合飼料に用いられている原材料を添加することができる。例えば、生魚類、イカミール、オキアミミール、大豆油かす、コーングルテンミール等のタンパク質、オキアミ油、鯨油、大豆油、コーン油、菜種油、硬化油等の油脂、澱粉、小麦粉、米粉、タピオカ粉、トウモロコシ粉等のデンプン質、アルギン酸及びその塩類、カルボキシメチルセルロースナトリウム（ＣＭＣ）、グァガム、デキストリン、キトサン、カードラン、ペクチン、カラギーナン、マンナン、ジェランガム、アラビアガム、可食性水溶性セルロース等の多糖類、ビタミン、ミネラル類が挙げられる。
【００５７】
内包は、内包の全重量の２０重量％〜７０重量％で油脂を含むことができ、特に大型養殖魚に給餌する場合、内包の全重量に対して、好ましくは３０重量％以上、より好ましくは３５重量％以上、最も好ましくは４５重量％以上となるように、油脂配合することができる。多量の油脂含有量は、養殖魚の成長及び成長効率に優れた効果を奏することができ、７０重量％以下であればその他の好ましい成分を選択して配合することが容易になる。
【００５８】
魚油及びその他の植物性油脂は、そのまま用いることができ、又は、好ましくは、ビタセル（Vitacel（登録商標、以下、同じ））ＷＦ２００、ビタセルＷＦ６００又はビタセルＷＦ６００／３０（レッテンマイヤー社製）、オイルＱ  Ｎｏ．５０又はオイルＱ−Ｓ（日澱化学社製）、パインフロー（松谷化学工業社製）等のデキストランをはじめとする吸油性多糖類、発酵大豆、イソフラボンなどの吸油性タンパク又はダイズ油、ナタネ油又はパーム油などの油脂に水素付加した硬化油を用いて、流動性を低下させて用いることができる。
【００５９】
魚油は、乳化により流動性を低下させて用いることもできる。これらの流動性を低下させるような成分は、魚の消化性の観点から、好ましくは内包の全重量の１０重量％以下、より好ましくは５重量％以下とすることが望ましい。油脂としては、魚油がもっとも好ましい。魚油は、他の植物性油脂などで一部代替することも可能である。
【００６０】
内包には、多糖類、硬化油等を配合し、乳化して、安定化させることもできる。これにより、魚粉又は液状である油脂の漏れ出しを抑制することができる。配合飼料を機械で製造する場合、内包の物性は、機械適性のある流動性又は物性であることが好ましい。油脂吸着剤としては、オイルＱ（日澱化学社製）、硬化油としてはユニショートＫ（不二製油社製）等がそれぞれ例示される。また乳化処理には、ニューフジプロＳＥＨ（不二製油社製）等を用いることができる。
【００６１】
低セレンマグロ類養殖魚飼育飼料の外皮は、タンパク質及び多糖類からなる群より選択される少なくとも１つの物質から構成される。外皮は、必要に応じて、タンパク質及び多糖類以外の他の物質を添加剤その他の配合成分として含むことができる。外皮は、内包を包み込めるものであれば特に制限はない。例えば、タンパク質及び多糖類からなる群より選択される少なくとも１つの物質がそれぞれ規則的に又は不規則的に非加熱条件下で形成される外皮であってもよく、又は、タンパク質及び多糖類からなる群より選択される少なくとも１つの物質を原料として加熱処理により得られる加熱ゲル、又は冷却処理により得られる冷却ゲルで形成された外皮であってもよい。
【００６２】
加熱によりゲルを形成するタンパク質原料及び／又は多糖類原料を含有する原料を用いる場合、加熱によりゲル化し、一定の弾力性、伸展性、粘着性を示す。このような加熱ゲルを用いることにより、内包が確実に包被されるため好ましい。以下、加熱によりゲルを形成するタンパク質原料及び／又は多糖類原料を含有する原料組成物を外皮用組成物と称して、以下に説明する。
加熱によるゲルとは、タンパク質及び多糖類からなる群より選択される少なくとも１つである原料を６０℃以上に加熱する、若しくは、６０℃以上に加熱後冷却することによりできるゲルと、澱粉等の多糖類に水分を加えて６０℃以上に加熱することにより糊化してできるゲルとを意味する。
【００６３】
外皮に適用されるタンパク質としては、例えば、魚肉、すり身、オキアミ、グルテン、コラーゲン、大豆たん白、酵素分解大豆たん白、ゼラチン、卵白等のタンパク質の単体又はこれらの２種以上の混合物などのゲル形成能を有するタンパク質が好ましい。タンパク質には、アルギン酸及びその塩も含む。多糖類としては、澱粉、アルギン酸及びその塩類、カルボキシメチルセルロースナトリウム（ＣＭＣ）、グァガム、デキストリン、キトサン、カードラン、ペクチン、カラギーナン、マンナン、ジェランガム、アラビアガム、可食性水溶性セルロース等を挙げることができる。
外皮に適用される澱粉としては、タピオカ澱粉、小麦澱粉、馬鈴薯澱粉、トウモロコシ澱粉、豆澱粉、ワキシーコーンスターチ、及びそれらの加工澱粉が好ましい。これらタンパク質及び／又は澱粉を多く含む食品素材を用いることもできる。これらタンパク質及び／又は多糖類を含む組成の外皮は加熱することによりゲルが固定され、柔軟性を持ち、且つ、内層組成物の保持力もあり、一定の強度を有する。なかでも、タンパク質を加熱してできるゲル又は澱粉を加熱してできるゲルであることが、その柔軟性、伸展性などの物性の点で好ましい。
【００６４】
例えば、魚肉すり身を原料として用いる場合、一般的なかまぼこなどの練製品の製造方法を用いて製造することができる。具体的には、２重量％以上の食塩を加え１０℃以上、好ましくは３０℃〜４０℃で１０分以上置いてから、８０℃〜９０℃で１０分以上加熱する。卵白を用いる場合、例えば、卵白：澱粉：魚粉：水を１：１：２：６の重量比率で混合し、加熱することにより、望ましい物性の組成物を得ることができる。
【００６５】
外皮用組成物には、ゲル形成に影響を与えない範囲で各種副原料を添加することができる。たとえば、外皮のゲル化に影響を与えない範囲で、外皮用組成物にも魚粉又は油脂を添加してもよい。用いるゲルの種類にもよるが、魚粉の場合、外皮は魚粉を６０重量％程度まで含むことが可能であり、油脂の場合、外皮は油脂を外皮用組成物の全重量の３０重量％まで含むことが可能である。魚粉及び油脂を双方含む場合、外皮は魚粉を外皮用組成物の全重量の２０〜３０重量％及び油脂を５〜１０重量％程度含むことが好ましい。
【００６６】
外皮のゲルの品質をよりよくするために、魚肉練製品などの品質改良剤として用いられている添加物を外皮用組成物に添加することができる。添加物としては、澱粉、増粘多糖類、分離大豆蛋白、重曹、重合リン酸塩、卵白、トランスグルタミナーゼ、各種プロテアーゼインヒビターなどを挙げることができる。特に、外皮は、ゲル強度を強化するために、寒天、ジェランガム、プルラン、澱粉、マンナン、カラギーナン、キサンタンガム、ローカストビーンガム、カードラン、ペクチン、アルギン酸及びその塩類、アラビアガム、キトサン、デキストリン、可食性水溶性セルロースなどの増粘剤を適宜含むことができる。
【００６７】
外皮として好ましい別の態様として、澱粉を主成分とする加熱ゲルが、その弾力性、柔軟性の点で優れる。澱粉に水を加えて混練し、加熱したゲルは、良好な弾力、柔軟性及び伸展性を示すことができる。特に種々の加工澱粉にはそれぞれに特徴があり、２種以上を組み合わせることでより、良好な弾力性、柔軟性、伸展性などの性質をもった外皮を得ることができる。例えば、エーテル化澱粉とリン酸架橋澱粉の組み合わせのように異なるタイプの加工澱粉を組み合わせるのがよい。
澱粉にグルテン、大豆タンパクなどのタンパク質を加えることによりさらに強いゲルを得ることができる。グルテンの代わりにグルテンを含有する小麦粉などを使用することもできる。その他の副原料としては、小麦粉等の穀粉；大豆タンパク、グルテン、卵白等のタンパク質；砂糖、水あめ等の糖又は糖アルコール類；カラギーナン、寒天、ジェランガム、プルラン、マンナン、キサンタンガム、ローカストビーンガム、カードラン、ペクチン、アルギン酸及びその塩類、アラビアガム、キトサン、デキストリン、可食性水溶性セルロース等の増粘剤；リン酸塩等の塩類を添加してもよい。例えば、澱粉に小麦粉を加えることによって、外皮に強度を与えることができる。また、一定量のタンパク質を加えることで加熱後の表面のべたつきを押さえることができる。
【００６８】
外皮における澱粉には、特に制限はないが、タピオカ澱粉、小麦澱粉、馬鈴薯澱粉、トウモロコシ澱粉、豆澱粉などが利用でき、特にこれらのエーテル化、アセチル化、アセチル架橋、エーテル架橋、リン酸架橋、α化ヒドロキシプロピルリン酸架橋などの加工澱粉が好ましい。なかでも、低セレンマグロ類養殖魚飼育飼料の外皮は、酢酸タピオカ澱粉と、エーテル化タピオカ澱粉との組み合わせを含む。このような低セレンマグロ類養殖魚飼育飼料の場合には、表面のべたつき抑制と飼料の食べやすさの観点から好ましい。酢酸タピオカ澱粉とエーテル化タピオカ澱粉との組み合わせは、例えば、重量比で１：１〜１：２０とすることができ、１：２〜１：１５であることが好ましく、１：８〜１：１２であることがより好ましい。
【００６９】
低セレンマグロ類養殖魚飼育飼料は、外皮の原料となる澱粉にタンパク質など他の副原料を加えた外皮用組成物に、水を加えて混合し混練し、包餡機などで、内包を包んだ後、加熱することによって、製造することができる。
【００７０】
好ましくは、外皮用組成物と内包をそれぞれ二重ノズルのエクストルーダに供給し、外皮用組成物を混合、加熱処理しながら、外皮で内包を包み込む形で押し出し成形することを含み、必要に応じて他の工程を含む方法により製造できる。
例えば、二重ノズルを備えたエクストルーダを用い、エクストルージョンクッキングによる外皮用組成物の加熱処理と外皮による内包の被覆を同時に行うこと、例えば柱状に押し出されてくる成形物を、押し出されてくるスピードに合わせて上下するシャッター機構で一定の長さに切断して、切断面を外皮で包被して、二重構造の配合飼料を得ることにより、製造することができる。
【００７１】
二重ノズルを備え、このような二重構造の配合飼料を得るために好適な装置は、一軸でも二軸でもよく、押し出し機構と加熱機構を有するものであればよい。二重構造の配合飼料を得るために好適な装置は、同方向回転噛み合い型二軸タイプの装置であることが好ましい。このような装置を用いた場合には、短時間で充分に混練することができるなどの利点を得ることができる。このような装置としては、Buhler社製のものを挙げることができ、例えば、国際公開第２０１３／０６１８９２号に開示されている。
【００７２】
この装置では、外皮用組成物供給装置が連結された加熱機能付きエクストルーダが備えられ、エクストルーダの吐出口付近に、内包を外皮用組成物の中心に送り込むノズルが配置されている。このノズルには、内包供給装置が連結されている。エクストルーダには、コンベアが隣接されており、コンベアの搬送路の先には、シャッター機構が配置されている。外皮用組成物供給装置は、外皮用組成物を混合し、ポンプでエクストルーダに送り込む。内包供給装置は、別途混合、製造した内包をポンプでノズルからエクストルーダの吐出口に送り込む。外皮用組成物はエクストルーダ内で混練された後、加熱され加熱ゲルとなる。吐出口において外皮は筒状に押し出され、その内部はノズルから挿入される内包で満たされ、二重構造の柱状で排出される。排出された二重構造の柱状物はコンベアで搬送され、シャッター機構に垂直下向き方向に挿入する。シャッター機構で一定の長さで包被切断され、二重構造の成形物ができあがる。
【００７３】
エクストルーダでの混合は、スクリュー回転数３００〜８００ｒｐｍ、好ましくは３５０〜７００ｒｐｍとすることができる。加熱温度は、澱粉、添加したタンパク質等がゲル化する温度以上であればよく、品温が６０〜１１０℃、好ましくは、７０〜１００℃、さらに好ましくは、８０〜９５℃程度になればよい。吐出温度は、８０〜１１０℃、好ましくは８５〜１０５℃とすることができる。出口圧力は、２ＭＰａ〜１０ＭＰａ、好ましくは４ＭＰＡａ〜８ＭＰａとすることができる。
【００７４】
内包と外皮用組成物の組み合わせ比は、重量比で、４：６〜９：１であることができ、５：５〜８：２であることが好ましい。このような重量比で組み合わせることにより、得られる低セレンマグロ類養殖魚飼育飼料の弾力性、外皮の強度等の観点から好ましい。
【００７５】
配合飼料の保存性を考慮して、水分活性を調節してもよい。この水分活性の調整は、内包及び／外皮の組成により調整することができる。例えば、添加する水分量の調整により、内包の水分活性を低くすることができる。塩類（食塩、リンゴ酸ソーダ、乳酸ソーダ等）、糖類（砂糖、乳糖、マルトース、ソルビット等）、糖アルコール類、アミノ酸、核酸関連物質、有機酸類、アルコール類、プロピレングリコース、グリセリン、澱粉類、蛋白類などの水分活性調整剤の添加により、組成物の水分活性を調整してもよい。
【００７６】
外皮用組成物に対する水の添加量は、包餡機又はエクストルーダに対応できる量であればよく、３０〜５０重量％程度が適当である。例えば、澱粉の加熱ゲルで内包を包んでできあがる外皮の水分量は２５〜５０重量％程度とすることができる。低セレンマグロ類養殖魚飼育飼料は、冷蔵又は冷凍保存することにより、長期保存が可能となる。この飼料を更に乾燥させて水分量を１０〜２０重量％にすることができる。この場合、保存性をより高めることができる。外皮を乾燥させることと外皮用組成物に添加物を加えて水分活性を低下させることを併用することにより、室温で長期に保存できる飼料を製造することができる。配合飼料の外皮は、長期保存の観点から水分量１０〜２０重量％、水分活性０．８以下、特に０．７５％以下、又は０．７％以下が好ましい。本開示において水分量は、常温加熱乾燥法により測定した値を使用し、水分活性は、水分活性測定装置により測定した値を使用する。
【００７７】
低セレンマグロ類養殖魚飼育飼料において、例えば、澱粉を含有する外皮用組成物の配合には、種々のパターンが考えられる。飼料の場合、魚種又は魚の成長段階によって、飼料に要求される栄養素、カロリーは異なる。魚粉及び魚油を多く入れるほど、外皮の配合を厳密に調整する必要があるが、魚粉及び魚油が少なめの場合は、外皮の配合にはかなりの自由度がある。少なくとも乾物換算で澱粉を外皮全重量の２０〜８０重量％含有させることが好ましい。魚粉を２５〜５０重量％（乾物換算）含む外皮とする場合、乾物換算で、澱粉２０〜６５重量％、小麦粉５〜２０重量％、タンパク質、油脂、増粘剤、塩類等を合計５〜１５重量％程度添加するのが好ましい。魚油を含む外皮とする場合には、魚油は１〜５重量％、リン酸塩は１〜２重量％、タンパク質は１〜５重量％、増粘剤は１〜５重量％程度添加するのが好ましい。
副原料として用いる場合、小麦粉はグルテン含有量の多い強力粉が好ましいが、薄力粉でもよい。外皮の品質をよりよくするために、澱粉食品の品質改良剤として用いられている添加物を添加することができる。
【００７８】
なお、低セレンマグロ養殖魚飼育試料の形状は、マグロ類養殖魚の摂食嗜好を考慮すると、マグロ類養殖魚が好むイワシ等の小魚のような紡錘形状に近い形状とすることができる。具体的な当該形状としては、たとえば、外表面を構成する外皮と、前記外皮に包まれる内包とによって、側面が略円柱形状を呈し、両方の端部が前記外皮で被覆されて閉鎖しているとともに、前記両方の端部のうち少なくとも一方に、前記外皮が前記端部の方向へ突出した先細り形状の突出部が形成されているような形状が挙げられる。なお、この形状はさらに、前記突出部において、前記外皮が前記端部の方向へ厚みを増していることとしてもよく、また、前記両方の端部のいずれにも、前記突出部が形成されていることとしてもよく、さらには、前記側面から、前記端部に向かって外方に凸な曲面をもって径が漸減する縮径部を有し、前記突出部は前記縮径部の前記端部に形成されているとともに、前記縮径部と前記突出部との間には、前記端部に向かって外方に凹な曲面をもって径が漸減する変曲部が形成されていることとしてもよい。上記したような低セレンマグロ養殖魚飼育試料の形状が、マグロ養殖魚において、筋肉のセレン含有量が１００ｇあたり９０μｇ以下、又は、肝臓のセレン含有量を１００ｇあたり１４００μｇ以下とすることに寄与し得る。
【００７９】
配合飼料の製造方法は、シャッター機構により切断されて得られた二重構造の配合飼料を乾燥すること、即ち、乾燥工程を含むことができる。
乾燥手段としては配合飼料を乾燥できるものであれば特に制限はない。乾燥は、飼料外皮水分を上述した水分含有量が達成される条件を設定すればよい。
【００８０】
乾燥条件としては、好ましくは、穏やかに、外皮の水分量１０〜２０重量％が達成し得る条件とすることができる。穏やかな乾燥条件を用いた場合には、乾燥処理中に外皮の水分量が低下する一方で、内包の水分量が、外皮からの水分の移行によって、切断処理直後の水分量よりも高くなる傾向がある。これにより、養殖魚の嗜好性に合った良好な物性の低セレンマグロ類養殖魚飼育飼料を得ることができる。穏やかな乾燥条件としては、例えば、２０℃〜４５℃の温度且つ６時間〜４８時間の範囲、相対湿度２０％〜５０％の範囲内で、相対湿度に基づいて、適宜設定できる。使用可能な乾燥手段としては、このような穏やかな乾燥条件を達成できるものであればよく、例えば、メッシュ状のコンベア、メッシュ状の容器又はシートに載置して、乾燥させることなどを挙げることができる。
【００８１】
本開示の一実施形態にかかるマグロ類養殖魚の飼育方法は、上述の低セレンマグロ類養殖魚飼育飼料を、少なくとも３０日間継続してマグロ類に対して給餌することを含む。低セレンマグロ類養殖魚飼育飼料による飼育を少なくとも３０日継続することにより、飼育対象であるマグロ類におけるセレン含有量を低減させることができる。飼育管理された養殖魚であることは、飼育期間に給餌された低セレンマグロ類養殖魚飼育飼料の成分のうち、生餌には含まれていない成分であって魚体に残留可能な特徴的な成分、例えば植物油等を確認することにより、確認することができる。
【００８２】
低セレンマグロ類養殖魚飼育飼料による飼育期間は、より長期の期間とすることができ、例えば、４５日以上、６０日以上、９０日以上、１２０日以上、１５０日以上、６ヶ月以上、又は１年以上とすることができる。より長期にわたって低セレンマグロ類養殖魚飼育資料を給餌することにより、養殖魚におけるセレン含有量を確実にいっそう低減させることができる。養殖魚におけるセレン含有量の低減効果は、魚体全体に均一に生じなくてもよい。例えば、低セレンマグロ類養殖魚飼育飼料による飼育期間が３０日以上であれば、筋肉におけるセレン含有量の低減効果を得ることができ、６０日以上であれば、肝臓におけるセレン含有量の低減効果を得ることができる。
【００８３】
飼育条件としては、一般にマグロ類の飼育として通常適用されている条件をそのまま用いることができる。例えば、飼育期間の水温は１０℃〜３２℃とし、給餌は、通常時期については１日１回の飽食給餌、冬季については２日１回の飽食給餌とすることができる。上記したように、冬期の給餌を２日１回に制限することが、マグロ養殖魚において、筋肉のセレン含有量が１００ｇあたり９０μｇ以下、又は、肝臓のセレン含有量を１００ｇあたり１４００μｇ以下とすることに寄与し得る。なお、冬期とは、たとえば、１日の平均水温が２０℃以下となる時期とすることができる。
【００８４】
本飼育方法では、水揚げ前に上述した飼育期間継続して、低セレンマグロ類養殖魚飼育飼料による給餌が行われていれば、他の飼料の給餌を行う期間があってもよい。他の飼料としては、生餌（アジ、サバ等）、モイストペレット等を挙げることができる。水揚げ前に低セレンマグロ類養殖魚飼育飼料による給餌期間が長いほど、セレン含有量をより確実に低減することができる。
【００８５】
飼育は、例えば、２００ｇの総魚体重の魚個体から開始することができ、５００ｇ、１ｋｇ、又は１０ｋｇ以上の総魚体重の魚個体から開始することができる。このような時期から飼育を開始することにより、目的とする時期まで、成長に合わせて健康な状態を維持することができる。
【００８６】
飼育時期は、飼育を開始してから、出荷、産卵などの目的の最終時期までのいずれの時期であってよい。例えば、飼育時期は、出荷直前の時期とすることができる。この場合には、セレン含有量が安定して低減された低セレンマグロ類養殖魚及びその可食部を供給することができる。
【００８７】
低セレンマグロ類養殖魚は、本開示に記載の特徴を備えたものであれば、上述した飼育方法以外の方法によって製造されたものであってよい。
【００８８】
＜可食部の製造方法＞
本開示の一実施形態にかかる可食部の製造方法は、上述した一実施形態における飼育方法で得られた低セレンマグロ類養殖魚を用意すること、用意された低セレンマグロ類養殖魚から、可食部を採取すること、前記可食部を容器に収容すること、を含み、必要に応じて、他の工程を含むことができる。
本可食部の製造方法では、上述した一実施形態における飼育方法により飼育されたマグロ類養殖魚から可食部を採取するので、天然又は生餌で飼育されたマグロ類養殖魚の可食部よりも低い含有量でセレンを含む可食部を効率よく得ることができる。
【００８９】
マグロ類養殖魚は、魚個体であってもよく、上述した加工形態の魚であってもよい。可食部の採取方法については、特に制限はなく、当業者であれば、目的とする可食部を魚個体又はその一部から切り出すために通常用いられる用具を用いて、通常行う方法により採取することができる。
【００９０】
＜用途＞
低セレンマグロ類養殖魚及びその可食部は、セレン含有量が低いため、セレンの過剰摂取を比較的回避しやすい食品として好ましい。低セレンマグロ類養殖魚及びその可食部は、セレン含有量が低く調整されているため、ウシ、ブタ、トリ等の家畜類、他の養殖魚等の飼料、ペットフードなどの動物用飼料としても用いることができる。
【実施例】
【００９１】
以下、本開示を実施例にて詳細に説明する。しかしながら、本開示はそれらに何ら限定されるものではない。
【００９２】
［実施例１］
（１）低セレンマグロ類養殖魚飼育飼料の作製
魚粉３５〜４０重量％、澱粉（エーテル化タピオカ澱粉：ヒドロキシプロピル澱粉、日澱化学社製、G-800）１７〜２３重量％、小麦粉７重量％、澱粉（酢酸タピオカ澱粉：日澱化学社製、Z-300）２重量％、魚油２重量％、食塩３重量％、砂糖２．５重量％、グルテン１重量％、水残部を、エクストルーダにより、スクリュー回転数４５０ｒｐｍ、吐出温度９０℃、出口圧力５０ｂａｒ（５ＭＰａ）の条件で混合し、外皮用組成物とした。
魚粉５９重量％、魚油３６重量％、硬化油１．９６５重量％、ビタミン類２重量％、ミネラル１重量％、α−トコフェロール０．０３５重量％を、エクストルーダを用い６０℃で混合し、内包とした。
【００９３】
内包で用いた魚粉としては、チリ産又はペルー産のイワシをスチームドライ法で魚粉としたものを、同様の方法で作製したイトヨリダイの魚粉と混合して用いた。内包で用いた魚粉中のイワシ魚粉の含有率は、魚粉の全重量に対して５５重量％であった。
【００９４】
外皮用組成物と内包とを組み合わせて低セレンマグロ類養殖魚飼育飼料を作製するために、先端部に二重ノズルを有し、吐出能力１ｔ／ｈの同方向回転完全噛み合い型２軸タイプのエクストルーダ（Buhler社製）を使用した。
外皮用組成物と、内包との双方を、エクストルーダ先端の二重ノズルから造粒し、シャッター装置により、内包が外皮で包皮された低セレンマグロ類養殖魚飼育飼料を得た。内包：外皮の重量比は６５：３５であった。
【００９５】
その後、成形直後の配合飼料を搬送コンベアに配置して、３０℃〜４０℃、相対湿度２０％〜５０％の環境下にて、自然乾燥による乾燥処理を２４時間、行った。この処理により、ひび割れ等がほとんど確認されない良好な配合飼料が得られた。
得られた低セレンマグロ類養殖魚飼育飼料の外皮の水分量は１２％〜１７％であり、水分活性は０．８未満であった。内包の水分含有量は、成形直後は約４．７％と推定される。なお、水分量は、Drying Oven DX300（ヤマト科学社製）により測定し、水分活性は、
アクアラブCX-3（マイルストーンゼネラル社製）により測定した。
【００９６】
（２）飼育
作製された低セレンマグロ類養殖魚飼育飼料を用いて、クロマグロを飼育した。低セレンマグロ類養殖魚飼育飼料を用いて飼育した群を実施例とする。
直径７０ｍの海面楕円形生簀に、生餌で飼育した体重約１６ｋｇ及び尾叉長約９０ｃｍのマグロを約３０００尾収容して、飼育を開始した。飼育期間中の水温は１３℃から２９℃であった。給餌は、通常１日１回飽食給餌、冬季２日１回飽食給餌とした。試験期間を通じ、飼料の摂餌量は生餌の３０〜５０重量％であった。飼育は、３月に開始して１８ヶ月行った。
【００９７】
（３）比較対照群
比較対照群として、生餌としてサバ又はイワシを給餌した以外は、上記（２）と同様の条件で飼育したクロマグロを用いた。生餌を用いて飼育した群を比較例とする。
【００９８】
（４）魚体計測
実施例及び比較例につき、飼育期間終了後に各８頭のマグロにつき、まず生簀から取り上げた直後の体温（℃）を測定し、その後、ＧＧマグロとした状態の重量（ｋｇ）及び尾叉長（ｃｍ）を測定し、これらから肥満度を計算した。その結果を表１に示す。なお、以下の各表においては、それぞれの項目について実施例と比較例との間でＳｔｕｄｅｎｔのｔ検定を行っており、その結果としてのＴ値（ｔ）も掲げている。
【００９９】
【表１】
2019092525.tif 000003
【０１００】
上記の結果からは、体温、ＧＧ重量、尾叉長及び肥満度のいずれも、実施例と比較例との間の平均値を比較しても、ｔ＜０．０５となるような有意な差は見られなかった。したがって、低セレンマグロ類養殖魚飼育試料を用いて飼育した実施例は、生餌で飼育した比較例と遜色ない成長を示したといえる。具体的には、実施例のマグロでは、試験開始時には総魚体重約１６ｋｇであったところ、個体差はあるものの約１８カ月後にはＧＧ重量で平均５０ｋｇを超えることが確認できた。尾叉長の平均は約１４１ｃｍであり、肥満度の平均は約２２であり、これらも生餌群のマグロとほぼ同等であった。
【０１０１】
（５）セレン含有量及びビタミン含有量
図１は、マグロを第１背びれ後方末端部から垂直に切断した尾部側の切断面を示す。この切断面において、部位Ａは中央背側深部、部位Ｂは中央背側浅部、部位Ｃは中央背側竜骨筋及び部位Ｄは血合筋を示す。なお、図１においてＥは腹腔を示す。
【０１０２】
前記した各実施例及び各比較例のマグロについて、図１に示す尾部側の切断面の反対側、すなわち、頭部側の切断面において図１の部位Ｂに対応する部分から、筋肉を５ｃｍ角の大きさで切り出し、中央背側浅部（中トロ）の試験片として採取した。この試験片を用いてセレン含有量を測定した。セレン含有量は、「衛生試験法・注解２０１０」（日本薬学会編、２０１０年２月２０日発行、金原出版）４３３頁の「（１）蛍光光度測定法による定量」に従って測定した。また、同じ試験片から、ビタミンＡ、ビタミン及びビタミンＥ含有量を常法に従って計測した。その結果を表２に示す。
【０１０３】
【表２】
2019092525.tif 000004
【０１０４】
上記表２に示されるように、比較例のマグロでは、いずれも筋肉中のセレン含有量が８０μｇ／１００ｇを超えていた。これに対して、実施例のマグロでは、筋肉中のセレン含有量は全ての個体で５０μｇ／１００ｇ以下であった。
このように、飼料群のマグロの筋肉は、生餌群のマグロよりもセレン含有量が低かった。
【０１０５】
なお、筋肉中のビタミンＤ含有量は実施例で平均９．４μｇ／１００ｇと、比較例の平均６．５μｇ／１００ｇを上回ったがこれには有意差はなかった（ｔ＞０．０５）。しかし、筋肉中のビタミンＡ含有量は実施例で平均８３４．５μｇ／１００ｇと、比較例の１８５５．０μｇ／１００ｇを有意に下回った（ｔ＜０．０５）。さらに、筋肉中のビタミンＥ含有量は実施例で平均１３．５μｇ／１００ｇと、比較例の１．５μｇ／１００ｇを有意に上回った（ｔ＜０．０５）。
【０１０６】
ちなみに、測定で用いられた脂身（中トロ）を刺身にして食したところ、美味であった。
【０１０７】
（６）脂肪酸含有量
前記した同じ試験片から、各種脂肪酸含有量を定法に従って計測した。そのうち、実施例と比較例との間に有意な差（ｔ＜０．０５）の認められたものを表３に示す。
【０１０８】
【表３】
2019092525.tif 000005
【０１０９】
上記のとおり、脂肪酸として、オレイン酸、リノール酸及びαリノレン酸といった不飽和脂肪酸の筋肉中の含有量が、実施例では比較例を有意に（ｔ＜０．０５）上回ることが認められた。
【０１１０】
（７）遊離アミノ酸含有量
前記した同じ試験片から、各種遊離アミノ酸含有量を定法に従って計測した。そのうち、実施例と比較例との間に有意な差（ｔ＜０．０５）の認められたものを表４、表５及び表６に示す。
【０１１１】
【表４】
2019092525.tif 000006
【０１１２】
【表５】
2019092525.tif 000007
【０１１３】
【表６】
2019092525.tif 000008
【０１１４】
各種遊離アミノ酸のうち、上記表４、表５及び表６に示すように、スレオニン、グルタミン酸、グリシン、アラニン、バリン、イソロイシン、ロイシン、アンセリン、カルノシン及びプロリンの筋肉中の含有量が、実施例では比較例を有意に（ｔ＜０．０５）上回ることが認められた。
【０１１５】
特に、上記表４に示すように、グルタミン酸、グリシン及びアラニンといった遊離アミノ酸の含有量が実施例では比較例よりも有意に（ｔ＜０．０５）増加していることから、低セレンマグロ類養殖魚飼育試料を用いて飼育したマグロの筋肉は、生餌飼育によるマグロ記の筋肉よりも食味が向上する可能性が示唆された。
【０１１６】
また、上記表５に示すように、必須アミノ酸のうち分岐鎖アミノ酸（ＢＣＡＡ）であるバリン、イソロイシン及びロイシンの含有量が実施例では比較例よりも有意に（ｔ＜０．０５）増加していることから、低セレンマグロ類養殖魚飼育試料を用いて飼育したマグロの筋肉が栄養サプリメントの面からも有効である可能性が示唆された。
【０１１７】
さらには、上記表６に示すように、抗疲労効果、活性酸素消去能、血圧降下作用、抗炎症作用及び尿酸値降下作用があるといわれているアンセリンの含有量が実施例では比較例よりも有意に（ｔ＜０．０５）増加していることから、低セレンマグロ類養殖魚飼育試料を用いて飼育したマグロの筋肉によるこれらの作用への好影響も示唆された。
【０１１８】
［実施例２］
次に、餌の種類の切替えによるセレン含有量の変遷について、以下の様に確認した。
飼料群又は生餌群のそれぞれ一部について、６ヶ月以上飼育後に餌の切替えを行った以外は、実施例１と同様にして飼育を行った。餌の切替えが配合飼料から生餌であった群を「生餌切替群」とし、生餌から低セレンマグロ類養殖魚飼育飼料であった群を「配合飼料切替群」とした。所定期間後に筋肉（中トロ）と肝臓のセレン量を測定した。
肝臓のついては、取上げの際に内臓として抜き出された肝臓を全量細かく切り刻みし、試験片とした。肝臓について上記と同様にしてセレン含有量を測定した。重量及び肥満度については、常法に従って計測した。切り替え７．５ヶ月まで表７に示される時期に、セレン含有量を測定した。
結果を表７並びに図２及び図３に示す。なお、図２及び図３において、黒丸は生餌切替群のセレン含有量を示し、白丸は配合飼料切替群のセレン含有量を示す。
【０１１９】
【表７】
2019092525.tif 000009
【０１２０】
表７と図２及び図３とに示されるように、生餌切替群及び配合飼料切替群の双方とも、餌の切替えに伴い筋肉及び肝臓におけるセレン含有量が速やかに変化して、餌の切り替え後２ヶ月程度で、配合飼料切替群のセレン含有量は、筋肉及び肝臓の双方で、生餌切替群よりも低くなった。このことから、セレン含有量は、餌の種類によって急速に変化することがわかった。
また、配合飼料切替群では、セレン含有量が急速に低くなって飼育開始１．５ヶ月後には筋肉で９０μｇ／１００ｇ、３ヶ月後には肝臓で１０００μｇを下回り、４．５ヶ月後には、筋肉及び肝臓の双方で試験開始時の飼料群とほぼ同一の値となった。一方、生餌切替群では、セレン含有量が急速に高くなり、７．５ヶ月後には、試験開始時の飼料群の値の８０％程度に至った。このことから、低セレンマグロ類養殖魚飼育飼料に切り替えることにより、マグロ類養殖魚におけるセレン含有量を急速に低減させる効果があることがわかった。
【０１２１】
［実施例３］
次に、配合飼料における魚粉の割合及びセレン含有量の影響について検討した。
イワシ魚粉９１．６３重量％、ビタミン類３．８８重量％、α−トコフェロール（５０重量％）０．１重量％、及びその他４．４５重量％を用いた以外は実施例１（１）の内包と同様にして、通常セレン含有量の内包Ａを得た。内包Ａのセレン含有量は、１．７２ｍｇ／ｋｇであった。
イワシ魚粉３３．５６重量％、カツオミール５８重量％、ビタミン類３．８８重量％、α−トコフェロール（５０重量％）０．１重量％、セレン酵母０．０７重量％及びその他４．４５重量％を用いた以外は実施例１（１）の内包と同様にして、高セレン含有量の内包Ｂを得た。なお、セレン酵母としては、三輪製薬社製、「アルコセル（ALKOSEL）セレンイースト」を用いた。内包Ｂのセレン含有量は、３．０４ｍｇ／ｋｇであった。
【０１２２】
内包Ａ又は内包Ｂを用いた以外は、実施例１（１）と同様にして、内包と外皮とを有する配合飼料Ａ又はＢを得た。配合飼料Ａは、通常セレン含有量の内包Ａを含み、配合飼料Ｂは、高セレン含有量の内包Ｂを含むものである。
【０１２３】
直径７０ｍの海面楕円形生簀に、体重（ＧＧ）４１ｋｇのマグロについて、配合飼料Ａ又は配合飼料Ｂを使った飼育を８月から１１月までの４ヶ月間行った。飼育期間中の水温は１３℃から２９℃であった。給餌は、週に５日又は６日の飽食給餌とした。試験期間を通じ、飼料の摂餌量は生餌の３０〜５０重量％であった。所定期間後に筋肉と肝臓のセレン量を測定又は算出した。その結果を表８に示す。
【０１２４】
【表８】
2019092525.tif 000010
【０１２５】
配合飼料Ａ又は配合飼料Ｂによる４ヶ月の飼育によって、双方の群は共に、筋肉で９０μｇ／１００ｇ以下、肝臓で１４００μｍ／１００ｇ以下を大きく下回っていた。
また、表８に示されるように、高セレン含有量の内包Ｂによる配合飼料Ｂを用いた場合でも、通常セレン含有量の内包Ａによる配合飼料Ａを用いた場合でも、マグロの筋肉及び肝臓におけるセレン含有量に大きな差は認められなかった。
このことから、配合飼料中のセレン含有量に拘わらず、魚粉の配合比率が３０重量％以上であれば、低セレンマグロ類養殖魚を得ることができることがわかった。
【０１２６】
上記の実施例から、生餌を食するマグロ類養殖魚よりもセレン含有量が低い低セレンマグロ類養殖魚を作出できることは明らかである。
したがって、低セレンマグロ類養殖魚及びその可食部又は加工食品によって、生餌で飼育されたマグロ類養殖魚又は天然のマグロよりもセレン摂取量を低くできることは明らかである。
【符号の説明】
【０１２７】
１０  マグロ類養殖魚の加工食品
１１  サク
１２  トレー
１３  ラップ
１４  大葉
１５  薬味
１６  吸水シート
Ａ  中央背側深部
Ｂ  中央背側浅部
Ｃ  中央背側竜骨筋
Ｄ  血合筋
Ｅ  腹腔
【図１】
2019092525.tif 000011
【図２】
2019092525.tif 000012
【図３】
2019092525.tif 000013
【図４】
2019092525.tif 000014